(57)【要約】【課題】車両衝突時に縦バッフルプレートの変形を抑制して燃料系部品の破損を抑制することができる車両のタンク構造を提供する。【解決手段】縦バッフルプレート４０によって仕切られた燃料タンク１の車体前後方向一方側の内部空間２ａにおける縦バッフルプレート４０の近傍に燃料系部品３１、３２が配置された車両のタンク構造は、燃料タンク１の車体前後方向一方側の内部空間２ａを車体上下方向に仕切る横バッフルプレート５０を備え、横バッフルプレート５０は、燃料系部品３１，３２より縦バッフルプレート側に位置すると共に車両衝突時に縦バッフルプレート４０に係合して縦バッフルプレート４０の変形を抑制する変形抑制用フランジ部５５を備えている。【選択図】図４
2018069761.tif 000002
【特許請求の範囲】
【請求項１】
車両に搭載されて燃料を貯留する燃料タンクと、前記燃料タンクの上面部から車体下方側に延びると共に車幅方向に延びて前記燃料タンクの内部空間を車体前後方向に仕切る縦バッフルプレートとを備え、前記縦バッフルプレートによって仕切られた前記燃料タンクの車体前後方向一方側の内部空間における前記縦バッフルプレートの近傍に燃料系部品が配置された車両のタンク構造であって、
前記燃料タンクの車体前後方向一方側の内部空間に前記縦バッフルプレートと離間して配置されると共に前記燃料タンクに連結されて略水平方向に延び、前記燃料タンクの車体前後方向一方側の内部空間を車体上下方向に仕切る横バッフルプレートを備え、
前記横バッフルプレートは、前記燃料系部品より前記縦バッフルプレート側に位置すると共に車両衝突時に前記縦バッフルプレートに係合して前記縦バッフルプレートの変形を抑制する変形抑制用フランジ部を備えている、
ことを特徴とする車両のタンク構造。
【請求項２】
前記横バッフルプレートは、略水平方向に延びて前記燃料タンクの車体前後方向一方側の内部空間を車体上下方向に仕切る仕切面部と、前記仕切面部と前記燃料タンクとを連結する連結面部とを備えている、
ことを特徴とする請求項１に記載の車両のタンク構造。
【請求項３】
前記変形抑制用フランジ部は、前記縦バッフルプレートに平行に設けられた平行フランジ部を備えている、
ことを特徴とする請求項１又は請求項２に記載の車両のタンク構造。
【請求項４】
前記変形抑制用フランジ部は、前記縦バッフルプレートに対して傾斜して設けられると共に前記平行フランジ部より前記縦バッフルプレート側に設けられた傾斜フランジ部を備えている、
ことを特徴とする請求項３に記載の車両のタンク構造。
【請求項５】
前記燃料系部品は、バルブである、
ことを特徴とする請求項１から請求項４の何れか１項に記載の車両のタンク構造。
【請求項６】
前記変形抑制用フランジ部に、ビード部が設けられている、
ことを特徴とする請求項１から請求項５の何れか１項に記載の車両のタンク構造。
【請求項７】
前記車体前後方向一方側は、車体後方側であり、
前記横バッフルプレートは、前記縦バッフルプレートによって仕切られた前記燃料タンクの車体後方側の内部空間に配置されている、
ことを特徴とする請求項１から請求項６の何れか１項に記載の車両のタンク構造。
【発明の詳細な説明】
【技術分野】
【０００１】
本発明は、車両のタンク構造に関し、特に燃料タンクの内部空間を車体前後方向に仕切る縦バッフルプレートを備えた車両のタンク構造に関する。
【背景技術】
【０００２】
エンジンを備えた車両では、車体後部のフロアパネル下方などにエンジンに供給するためのガソリンなどの燃料を貯留する燃料タンクが備えられ、燃料タンクの上面部には一般に、燃料補給時に燃料タンク内の気体を通過させる一方で燃料タンク内の燃料が通過することを遮断する燃料遮断バルブなどの燃料系部品が配置されている。
【０００３】
このように燃料タンクの上面部に燃料系部品が配置された車両では、前面衝突（前突）や後面衝突（後突）などの車両衝突時に燃料タンク内の燃料が車体前後方向に急激に移動して、燃料タンクの上面部に配置された燃料系部品を破損させるおそれがある。
【０００４】
燃料系部品の破損を抑制するものとして、例えば特許文献１には、燃料系部品の前方及び左右側方を覆うように保全プレートを設けて、前突時に慣性によって車体前方側に相対移動する燃料が燃料タンクの前壁部に衝突して車体前方側から燃料系部品に衝突することを抑制するようにした車両のタンク構造が開示されている。
【先行技術文献】
【特許文献】
【０００５】
【特許文献１】特開２０１２−６６６６０号公報
【発明の概要】
【発明が解決しようとする課題】
【０００６】
ところで、車両の燃料タンクとして、燃料タンク内の燃料が車体前後方向に移動して揺動音や燃料切れが生じることを抑制するためなど、燃料タンクの上面部から車体下方側に延びて燃料タンクの内部空間を車体前後方向に仕切る縦バッフルプレートを備えたものが知られている。
【０００７】
縦バッフルプレートを備えた燃料タンクでは、加速時や減速時に燃料タンク内の燃料が車体前後方向に移動することを抑制することができるが、前突や後突などの車両衝突時に燃料タンク内の燃料が慣性によって車体前後方向に急激に相対移動する際には、燃料タンク内の燃料によって縦バッフルプレートが車体前後方向に変形されるおそれがある。
【０００８】
車両衝突時に燃料タンク内の燃料によって縦バッフルプレートが車体前後方向に変形されると、縦バッフルプレートの近傍に燃料系部品が配置されている場合、縦バッフルプレートと燃料系部品とが干渉して燃料系部品を破損させるおそれがある。
【０００９】
これに対し、例えば特許文献１に記載されるように、燃料系部品の周囲を覆うように保全プレートを設けることが考えられるが、別途専用部材を設ける必要があると共に車両衝突時に燃料タンク内の燃料によって保全プレート自体が変形されるおそれがあることから、別途専用部材を設けることなく、車両衝突時に縦バッフルプレートの変形を抑制して縦バッフルプレートの近傍に配置された燃料系部品の破損を抑制することが望まれる。
【００１０】
そこで、本発明は、縦バッフルプレートの近傍に燃料系部品が配置された車両の燃料タンクにおいて、車両衝突時に縦バッフルプレートの変形を抑制して燃料系部品の破損を抑制することができる車両のタンク構造を提供することを課題とする。
【課題を解決するための手段】
【００１１】
前記課題を解決するため、本発明は、次のように構成したことを特徴とする。
【００１２】
まず、本願の請求項１に記載の発明は、車両に搭載されて燃料を貯留する燃料タンクと、前記燃料タンクの上面部から車体下方側に延びると共に車幅方向に延びて前記燃料タンクの内部空間を車体前後方向に仕切る縦バッフルプレートとを備え、前記縦バッフルプレートによって仕切られた前記燃料タンクの車体前後方向一方側の内部空間における前記縦バッフルプレートの近傍に燃料系部品が配置された車両のタンク構造であって、前記燃料タンクの車体前後方向一方側の内部空間に前記縦バッフルプレートと離間して配置されると共に前記燃料タンクに連結されて略水平方向に延び、前記燃料タンクの車体前後方向一方側の内部空間を車体上下方向に仕切る横バッフルプレートを備え、前記横バッフルプレートは、前記燃料系部品より前記縦バッフルプレート側に位置すると共に車両衝突時に前記縦バッフルプレートに係合して前記縦バッフルプレートの変形を抑制する変形抑制用フランジ部を備えていることを特徴とする。
【００１３】
また、請求項２に記載の発明は、前記請求項１に記載の発明において、前記横バッフルプレートは、略水平方向に延びて前記燃料タンクの車体前後方向一方側の内部空間を車体上下方向に仕切る仕切面部と、前記仕切面部と前記燃料タンクとを連結する連結面部とを備えていることを特徴とする。
【００１４】
また、請求項３に記載の発明は、前記請求項１又は請求項２に記載の発明において、前記変形抑制用フランジ部は、前記縦バッフルプレートに平行に設けられた平行フランジ部を備えていることを特徴とする。
【００１５】
また、請求項４に記載の発明は、前記請求項３に記載の発明において、前記変形抑制用フランジ部は、前記縦バッフルプレートに対して傾斜して設けられると共に前記平行フランジ部より前記縦バッフルプレート側に設けられた傾斜フランジ部を備えていることを特徴とする。
【００１６】
また、請求項５に記載の発明は、前記請求項１から請求項４の何れか１項に記載の発明において、前記燃料系部品は、バルブであることを特徴とする。
【００１７】
また、請求項６に記載の発明は、前記請求項１から請求項５の何れか１項に記載の発明において、前記変形抑制用フランジ部に、ビード部が設けられていることを特徴とする。
【００１８】
また、請求項７に記載の発明は、前記請求項１から請求項６の何れか１項に記載の発明において、前記車体前後方向一方側は、車体後方側であり、前記横バッフルプレートは、前記縦バッフルプレートによって仕切られた前記燃料タンクの車体後方側の内部空間に配置されていることを特徴とする。
【発明の効果】
【００１９】
本願の請求項１に記載の発明によれば、縦バッフルプレートによって仕切られた燃料タンクの車体前後方向一方側の内部空間における縦バッフルプレートの近傍に燃料系部品が配置された車両のタンク構造は、燃料タンクの車体前後方向一方側の内部空間を車体上下方向に仕切る横バッフルプレートを備え、横バッフルプレートは、燃料系部品より縦バッフルプレート側に位置すると共に車両衝突時に縦バッフルプレートに係合して縦バッフルプレートの変形を抑制する変形抑制用フランジ部を備えている。
【００２０】
これにより、前突や後突などの車両衝突時に、燃料タンクの車体前後方向他方側の内部空間内の燃料が慣性によって車体前後方向一方側に相対移動して縦バッフルプレートを車体前後方向一方側に変形させるときに、横バッフルプレートの変形抑制用フランジ部が縦バッフルプレートに係合して縦バッフルプレートの変形が抑制されるので、縦バッフルプレートの近傍に燃料系部品が配置された車両の燃料タンクにおいて、車両衝突時に縦バッフルプレートの変形を抑制して縦バッフルプレートの近傍に配置された燃料系部品の破損を抑制することができる。
【００２１】
縦バッフルプレートに加えて横バッフルプレートが備えられた車両の燃料タンクにおいて、別途専用部材を設けることなく、横バッフルプレートを用い、車両衝突時に縦バッフルプレートの変形を抑制して縦バッフルプレートの近傍に配置された燃料系部品の破損を抑制することができる。
【００２２】
また、請求項２に記載の発明によれば、横バッフルプレートは、略水平方向に延びる仕切面部と、仕切面部と燃料タンクとを連結する連結面部とを備えることにより、仕切面部と連結面部とを備えた横バッフルプレートに変形抑制用フランジ部を備えることで、前記効果を有効に得ることができる。
【００２３】
また、請求項３に記載の発明によれば、変形抑制用フランジ部は、縦バッフルプレートに平行に設けられた平行フランジ部を備えることにより、変形抑制用フランジ部が縦バッフルプレートに直交する方向に設けられる場合に比して、車両衝突時に縦バッフルプレートとの係合面積を大きくすることができ、縦バッフルプレートの変形を有効に抑制することができる。
【００２４】
また、請求項４に記載の発明によれば、変形抑制用フランジ部は、縦バッフルプレートに対して傾斜して設けられると共に平行フランジ部より縦バッフルプレート側に設けられた傾斜フランジ部を備えることにより、車両衝突時に横バッフルプレートの平行フランジ部が縦バッフルプレートに係合する前に横バッフルプレートの傾斜フランジ部が縦バッフルプレートに係合して縦バッフルプレートの変形が抑制されるので、縦バッフルプレートの変形をより有効に抑制することができる。
【００２５】
また、請求項５に記載の発明によれば、燃料系部品は、バルブであることにより、縦バッフルプレートの近傍に配置されたバルブの破損を抑制することができる。
【００２６】
また、請求項６に記載の発明によれば、変形抑制用フランジ部に、ビード部が設けられることにより、ビード部によって横バッフルプレートの変形抑制用フランジ部を補強して縦バッフルプレートの変形をより有効に抑制することができ、前記効果をより有効に奏することができる。
【００２７】
また、請求項７に記載の発明によれば、横バッフルプレートは、縦バッフルプレートによって仕切られた燃料タンクの車体後方側の内部空間に配置されることにより、燃料タンクの車体後方側の内部空間における縦バッフルプレートの近傍に燃料系部品が配置された車両の燃料タンクにおいて、後突時に縦バッフルプレートの変形を抑制して縦バッフルプレートの近傍に配置された燃料系部品の破損を抑制することができる。
【図面の簡単な説明】
【００２８】
【図１】本発明の実施形態に係る車両のタンク構造を適用した燃料タンクの斜視図である。
【図２】図１に示した燃料タンクの上面図及び正面図である。
【図３】図２（ｂ）のＹ３−Ｙ３方向から見たアッパタンクを示す図である。
【図４】図３に示すアッパタンクの斜視図である。
【図５】燃料タンクの車体後方側の内部空間に配置された横バッフルプレートの斜視図である。
【図６】図３のＹ６−Ｙ６方向から見たアッパタンクの断面斜視図である。
【図７】縦バッフルプレートを取り除いた図３のＹ６−Ｙ６方向から見たアッパタンクの断面斜視図である。
【図８】縦バッフルプレートを取り除いた図３のＹ８−Ｙ８方向から見たアッパタンクの断面斜視図である。
【図９】本発明の実施形態に係る燃料タンクを説明するための説明図である。
【発明を実施するための形態】
【００２９】
以下、本発明の実施形態について添付図面を参照しながら説明する。
【００３０】
図１は、本発明の実施形態に係る車両のタンク構造を適用した燃料タンクの斜視図である。図２は、図１に示した燃料タンクの上面図及び正面図であり、図２（ａ）は燃料タンクの上面図、図２（ｂ）は燃料タンクの正面図である。
【００３１】
本発明の実施形態に係る車両のタンク構造を適用した燃料タンクは、エンジンに供給するためのガソリンなどの燃料を貯留するものであり、車体後部のフロアパネル下方において左右一対の車体前後方向に延びるサイドフレーム間に配置されている。
【００３２】
燃料タンクはまた、燃料タンクより車体前方側及び車体後方側においてそれぞれ車幅方向に延びて左右一対のサイドフレーム間に架設された前側クロスメンバ及び後側クロスメンバに燃料タンクの車体前方側及び車体後方側がそれぞれ取り付けられ、車両に搭載されている。
【００３３】
図１及び図２に示すように、本発明の実施形態に係る燃料タンク１は、車幅方向に延びると共に車体前後方向に延びるように設けられ、車体上方側に配置されるアッパタンク１０と車体下方側に配置されるロアタンク２０とが接合されて形成されている。
【００３４】
アッパタンク１０は、車体上下方向と略直交する略水平方向に延びる上面部１１と、上面部１１の周縁部から車体下方側に延びる側面部１２と、側面部１２の下端部から外方に略水平方向に延びる外周フランジ部１３とを備え、車体上方側に上面部１１が膨出するように形成されている。
【００３５】
一方、ロアタンク２０は、略水平方向に延びる下面部２１と、下面部２１の周縁部から車体上方側に延びる側面部２２と、側面部２２の上端部から外方に略水平方向に延びる外周フランジ部２３とを備え、車体下方側に下面部２１が膨出するように形成されている。アッパタンク１０とロアタンク２０とはそれぞれ、鋼板などの金属製の板状素材をプレス加工して形成されるが、樹脂材料を用いて形成することも可能である。
【００３６】
そして、アッパタンク１０とロアタンク２０とは、外周フランジ部１３、２３どうしが重ね合わせて接合されることにより接合され、アッパタンク１０とロアタンク２０とによって燃料タンク１が形成されている。
【００３７】
燃料タンク１は、アッパタンク１０の上面部１１による上面部１１と、ロアタンク２０の下面部２１による下面部２１と、アッパタンク１０の側面部１２及びロアタンク２０の側面部２２による側面部１２、２２とを有し、上面部１１、下面部２１及び側面部１２、２２によって内部に燃料が貯留される中空空間が形成されている。
【００３８】
図２（ｂ）に示すように、燃料タンク１の下面部２１は、車幅方向一方側である車体右側が車幅方向他方側である車体左側に比して車体上方側に窪んで形成され、燃料タンク１の車体右側の下面部２１の下方にエンジンから車体後方側に延びる排気管等が配設されるようになっている。
【００３９】
燃料タンク１の車体左側の上面部１１には、燃料タンク１の内部空間に配置されるように燃料ポンプ３０が取り付けられ、燃料ポンプ３０は、燃料タンク１内の燃料をエンジンに供給するように構成されている。
【００４０】
図３は、図２（ｂ）のＹ３−Ｙ３方向から見たアッパタンクを示す図であり、図４は、図３に示すアッパタンクの斜視図である。図３及び図４では、車体下方側から見たアッパタンクを該アッパタンクに配設された燃料系部品と共に示している。
【００４１】
図３及び図４に示すように、燃料タンク１の上面部１１、具体的にはアッパタンク１０の上面部１１には、燃料タンク１の車体上方側に配設される燃料系部品として、燃料補給時に燃料タンク１内の気体を通過させる一方で燃料タンク１内の燃料が通過することを遮断する燃料遮断バルブ３１と、燃料タンク１内の圧力を調整する圧力調整バルブ３２とが配置されている。
【００４２】
燃料遮断バルブ３１は、アッパタンク１０の上面部１１における車幅方向中央側且つ車体後方側に取付ブラケット３３を介して取り付けられ、圧力調整バルブ３２は、アッパタンク１０の上面部１１における車体右側且つ車体後方側に取付ブラケット３４を介して取り付けられている。
【００４３】
燃料遮断バルブ３１には、アッパタンク１０の上面部１１に沿って配置されたパイプ３５が接続され、圧力調整バルブ３２には、アッパタンク１０の上面部１１に沿って配置されたパイプ３６が接続されている。パイプ３５とパイプ３６とは接続されて車体前方側に延び、燃料タンク１の外部に配置されたキャニスタなどの蒸発燃料処理装置（不図示）に接続されている。
【００４４】
アッパタンク１０の上面部１１にはまた、燃料補給時に燃料タンク１内の空気を排出するためのパイプ３７が配置されている。パイプ３７は、アッパタンク１０の上面部１１における車体左側且つ車体後方側に沿って配置されて車体後方側に延び、燃料タンク１の外部において燃料タンク１に燃料を補給する燃料補給パイプ（不図示）の上流側に接続されている。
【００４５】
燃料タンク１はまた、燃料タンク１の内部空間２を車体前後方向に仕切る縦バッフルプレート４０と、縦バッフルプレート４０によって仕切られた燃料タンク２の車体前後方向一方側である車体後方側の内部空間２ａに配置されて該内部空間２ａを車体上下方向に仕切る横バッフルプレート５０と、縦バッフルプレート４０によって仕切られた燃料タンク２の車体前後方向他方側である車体前方側の内部空間２ｂに配置されて該内部空間２ｂを車体上下方向に仕切る横バッフルプレート６０とを備えている。縦バッフルプレート４０と横バッフルプレート５０，６０とはそれぞれ、鋼板などの金属製の板状素材をプレス加工して形成される。
【００４６】
縦バッフルプレート４０は、略垂直方向に延びると共に車幅方向に延びる仕切面部４１と、仕切面部４１の上端部に設けられて車体前方側に延びる取付フランジ部４２とを備え、取付フランジ部４２がアッパタンク１０の上面部１１にスポット溶接等によって接合されることにより仕切面部４１が燃料タンク１の上面部１１から車体下方側に延びると共に車幅方向に延びるように設けられている。縦バッフルプレート４０では、仕切面部４１は、燃料タンク１の下面部２１、具体的にはロアタンク２０の下面部２１とは離間するように設けられている。
【００４７】
縦バッフルプレート４０の仕切面部４１には、複数の貫通穴４３が形成されており、加速時や減速時に燃料タンク１内の燃料が車体前後方向に移動することを抑制するようになっている。縦バッフルプレート４０の仕切面部４１はまた、アッパタンク１０の上面部１１に沿って延びるパイプ３５が仕切面部４１の車体上方側を車体前後方向に延びるように仕切面部４１の車体上方側が車体下方側に切り欠かれて形成されている。
【００４８】
縦バッフルプレート４０は、燃料タンク１の車体前後方向中央側に配置され、縦バッフルプレート４０によって仕切られた燃料タンク１の車体後方側の内部空間２ａにおける縦バッフルプレート４０の近傍に燃料遮断バルブ３１及び圧力調整バルブ３２がそれぞれ配置されている。
【００４９】
燃料タンク１の車体後方側の内部空間２ａに配置される横バッフルプレート５０は、縦バッフルプレート４０と離間して配置されると共に、燃料タンク１に連結されて略水平方向に延びるように設けられている。
【００５０】
横バッフルプレート５０は、アッパタンク１０の上面部１１に略沿って略水平方向に延びて燃料タンク１の車体後方側の内部空間２ａを車体上下方向に仕切る仕切面部５１と、仕切面部５１から車体上方側に延びて燃料タンク１と連結する連結面部５２と、仕切面部５１から車体下方側に延びて燃料タンク１と連結する連結面部５３と備えている。
【００５１】
図５は、燃料タンクの車体後方側の内部空間に配置された横バッフルプレートの斜視図であり、図５（ａ）及び図５（ｂ）はそれぞれ、車体後方側及び車体前方側から見た横バッフルプレート５０の斜視図である。図５（ａ）及び図５（ｂ）に示すように、横バッフルプレート５０は、仕切面部５１から車体上方側に延びる複数、具体的には６つの連結面部５２と、仕切面部５１から車体下方側に延びる１つの連結面部５３とを備えている。
【００５２】
横バッフルプレート５０の連結面部５２は、該連結面部５２の上端部に設けられた取付フランジ部５２ａがアッパタンク１０の上面部１１にスポット溶接等によって接合されて燃料タンク１に連結され、横バッフルプレート５０の連結面部５３は、該連結面部５３の下端部に設けられた取付フランジ部５３ａがアッパタンク１０の側面部１２にスポット溶接等によって接合されて燃料タンク１に連結されている。
【００５３】
横バッフルプレート５０の車体前方側の連結面部５２にはまた、取付フランジ部５２ａ側に断面円弧状に突出するビード部５２ｂが車体上下方向に延びるように設けられ、横バッフルプレート５０の車体前方側の連結面部５２がビード部５２ｂによって補強されている。
【００５４】
横バッフルプレート５０の仕切面部５１には、複数の貫通穴５４が形成されており、燃料タンク１内の燃料が車体上下方向に移動することを抑制するようになっている。横バッフルプレート５０の仕切面部５１はまた、アッパタンク１０の上面部１１に配置されるバルブ３１，３２に対応して仕切面部５１の車体前方側が切り欠かれて形成されている。
【００５５】
本実施形態では、横バッフルプレート５０は、縦バッフルプレート４０側に、車両衝突時に縦バッフルプレート４０に係合して縦バッフルプレート４０の変形を抑制する変形抑制用フランジ部５５を備えている。変形抑制用フランジ部５５は、バルブ３１，３２より縦バッフルプレート４０側に位置し、縦バッフルプレート４０とは離間するように設けられている。
【００５６】
変形抑制用フランジ部５５は具体的には、縦バッフルプレート４０に平行に設けられた平行フランジ部５６と、縦バッフルプレート５０に対して傾斜して設けられる傾斜フランジ部５７とを備え、傾斜フランジ部５７は、平行フランジ部５６より縦バッフルプレート４０側に設けられている。
【００５７】
横バッフルプレート５０の仕切面部５１から延びる平行フランジ部５６には、縦バッフルプレート４０側とは反対側に断面円弧状に突出するビード部５６ａが仕切面部５１からの延設方向である車体上下方向に延びるように設けられ、平行フランジ部５６がビード部５６ａによって補強されている。なお、他の平行フランジ部５６や傾斜フランジ部５７にビード部を設けることも可能である。
【００５８】
図６は、図３のＹ６−Ｙ６方向から見たアッパタンクの断面斜視図であり、図７は、縦バッフルプレートを取り除いた図３のＹ６−Ｙ６方向から見たアッパタンクの断面斜視図である。また、図８は、縦バッフルプレートを取り除いた図３のＹ８−Ｙ８方向から見たアッパタンクの断面斜視図である。
【００５９】
図６から図８に示すように、横バッフルプレート５０は、縦バッフルプレート４０によって仕切られた燃料タンク１の車体後方側の内部空間２ａに縦バッフルプレート４０と離間して配置され、変形抑制用フランジ部５５、具体的には平行フランジ部５６及び傾斜フランジ部５７が、縦バッフルプレート４０の近傍に配置されたバルブ３１，３２より縦バッフルプレート４０側に位置するように設けられている。
【００６０】
燃料タンク１の車体前方側の内部空間２ｂに配置される横バッフルプレート６０は、横バッフルプレート５０と略同様に形成され、縦バッフルプレート４０と離間して配置されると共に、燃料タンク１に連結されて略水平方向に延びるように設けられている。
【００６１】
図３、図４及び図６に示すように、横バッフルプレート６０は、アッパタンク１０の上面部１１に略沿って略水平方向に延びて燃料タンク１の車体前方側の内部空間２ｂを車体上下方向に仕切る仕切面部６１と、仕切面部６１から車体上方側に延びて燃料タンク１と連結する複数の連結面部６２とを備えている。
【００６２】
横バッフルプレート６０の複数の連結面部６２はそれぞれ、該連結面部６２の上端部に設けられた取付フランジ部６２ａがアッパタンク１０の上面部１１にスポット溶接等によって接合されて燃料タンク１に連結されている。
【００６３】
横バッフルプレート６０の仕切面部６１にはまた、複数の貫通穴６３が形成されており、燃料タンク１内の燃料が車体上下方向に移動することを抑制するようになっている。
【００６４】
このように、燃料タンク１では、燃料タンク１の内部空間２を車体前後方向に仕切る縦バッフルプレート４０が備えられ、加速時や減速時に燃料タンク１内の燃料が車体前後方向に移動することを抑制するようになっている。また、縦バッフルプレート４０によって仕切られた燃料タンク１の車体後方側及び車体前方側の内部空間２ａ，２ｂにそれぞれ横バッフルプレート５０，６０が備えられ、燃料タンク１内の燃料が車体上下方向に移動することを抑制するようになっている。
【００６５】
また、燃料タンク１には、燃料タンク１の車体後方側の内部空間２ａに配置される横バッフルプレート５０に変形抑制用フランジ部５５が備えられ、車両衝突時、具体的には後突時に燃料タンク１内の燃料が慣性によって車体後方側に急激に相対移動して縦バッフルプレート４０を車体後方側に変形させる際に、縦バッフルプレート４０が横バッフルプレート５０の変形抑制用フランジ部５５に係合して縦バッフルプレート４０が車体後方側に変形することが抑制されるようになっている。
【００６６】
図９は、本発明の実施形態に係る燃料タンクを説明するための説明図である。図９では、燃料タンク１に配設される縦バッフルプレート４０、横バッフルプレート５０、及び縦バッフルプレート４０の近傍に配置される燃料系部品３１を模式的に示している。
【００６７】
図９に示すように、燃料タンク１では、後突時には、燃料タンク１内の燃料が慣性によって矢印Ａで示す車体後方側に急激に相対移動して燃料タンク１内の燃料による慣性力が縦バッフルプレート４０に作用して縦バッフルプレート４０を車体後方側に変形させることとなるが、縦バッフルプレート４０が、縦バッフルプレート４０の近傍に配置された燃料系部品３１より縦バッフルプレート側に位置する横バッフルプレート５０の変形抑制用フランジ部５５に係合して縦バッフルプレート４０が車体後方側に変形することが抑制され、縦バッフルプレート４０が燃料系部品３１に干渉して燃料系部品３１を破損させることを抑制することができる。
【００６８】
本実施形態では、縦バッフルプレート４０の近傍に配置される燃料系部品として燃料遮断バルブ３１及び圧力調整バルブ３２が備えられているが、他の燃料系部品が配置される場合においても同様に、横バッフルプレート５０に変形抑制用フランジ部５５を備えることで、車両衝突時に縦バッフルプレート４０の変形を抑制して縦バッフルプレート４０の近傍に配置された燃料系部品の破損を抑制することができる。
【００６９】
また、本実施形態では、燃料タンク１の車体後方側の内部空間２ａにおける縦バッフルプレート４０の近傍に燃料系部品３１，３２が配置され、燃料系部品３１，３２に対応して横バッフルプレート５０に変形抑制用フランジ部５５が設けられているが、燃料タンク１の車体前方側の内部空間２ｂにおける縦バッフルプレート４０の近傍に燃料系部品が配置される場合、燃料系部品に対応して横バッフルプレート６０に燃料系部品より縦バッフルプレート４０側に位置すると共に車両衝突時に縦バッフルプレート４０に係合して縦バッフルプレート４０の変形を抑制する変形抑制用フランジ部が備えられる。
【００７０】
かかる場合には、車両衝突時、具体的には前突時に燃料タンク１内の燃料が慣性によって車体前方側に急激に相対移動して縦バッフルプレート４０を車体前方側に変形させる際に、縦バッフルプレート４０が横バッフルプレート６０の変形抑制用フランジ部に係合して縦バッフルプレート４０が車体前方側に変形することが抑制され、縦バッフルプレート４０の近傍に配置された燃料系部品の破損を抑制することができる。
【００７１】
このように、本実施形態に係る車両のタンク構造は、燃料タンク１の車体前後方向一方側の内部空間２ａを車体上下方向に仕切る横バッフルプレート５０を備え、横バッフルプレート５０は、燃料系部品３１，３２より縦バッフルプレート４０側に位置すると共に車両衝突時に縦バッフルプレート４０に係合して縦バッフルプレート４０の変形を抑制する変形抑制用フランジ部５５を備えている。
【００７２】
これにより、前突や後突などの車両衝突時に、燃料タンク１の車体前後方向他方側の内部空間２ｂ内の燃料が慣性によって車体前後方向一方側に相対移動して縦バッフルプレート４０を車体前後方向一方側に変形させるときに、横バッフルプレート５０の変形抑制用フランジ部５５が縦バッフルプレート４０に係合して縦バッフルプレート４０の変形が抑制されるので、縦バッフルプレート４０の近傍に燃料系部品３１，３２が配置された車両の燃料タンク１において、車両衝突時に縦バッフルプレート４０の変形を抑制して縦バッフルプレート４０の近傍に配置された燃料系部品３１，３２の破損を抑制することができる。
【００７３】
縦バッフルプレート４０に加えて横バッフルプレート５０が備えられた車両の燃料タンク１において、別途専用部材を設けることなく、横バッフルプレート５０を用い、車両衝突時に縦バッフルプレート４０の変形を抑制して縦バッフルプレート５０の近傍に配置された燃料系部品３１，３２の破損を抑制することができる。
【００７４】
また、変形抑制用フランジ部５５は、縦バッフルプレート４０に平行に設けられた平行フランジ部５６を備えることにより、変形抑制用フランジ部５５が縦バッフルプレート４０に直交する方向に設けられる場合に比して、車両衝突時に縦バッフルプレート４０との係合面積を大きくすることができ、縦バッフルプレート４０の変形を有効に抑制することができる。
【００７５】
また、変形抑制用フランジ部５５は、縦バッフルプレート４０に対して傾斜して設けられると共に平行フランジ部５６より縦バッフルプレート４０側に設けられた傾斜フランジ部５７を備えることにより、車両衝突時に横バッフルプレート５０の平行フランジ部５６が縦バッフルプレート４０に係合する前に横バッフルプレート５０の傾斜フランジ部５７が縦バッフルプレート４０に係合して縦バッフルプレート４０の変形が抑制されるので、縦バッフルプレート４０の変形をより有効に抑制することができる。
【００７６】
また、燃料系部品３１，３２は、バルブであることにより、縦バッフルプレート４０の近傍に配置されたバルブ３１，３２の破損を抑制することができる。
【００７７】
また、変形抑制用フランジ部５５に、ビード部５６ａが設けられることにより、ビード部５６ａによって横バッフルプレート５０の変形抑制用フランジ部５５を補強して縦バッフルプレート５０の変形をより有効に抑制することができる。
【００７８】
また、横バッフルプレート５０は、縦バッフルプレート４０によって仕切られた燃料タンク１の車体後方側の内部空間２ａに配置されることにより、燃料タンク１の車体後方側の内部空間２ａにおける縦バッフルプレート４０の近傍に燃料系部品３１，３２が配置された車両の燃料タンク１において、後突時に縦バッフルプレート４０の変形を抑制して縦バッフルプレート４０の近傍に配置された燃料系部品３１，３２の破損を抑制することができる。
【００７９】
本発明は、例示された実施の形態に限定されるものではなく、本発明の要旨を逸脱しない範囲において、種々の改良及び設計上の変更が可能である。
【産業上の利用可能性】
【００８０】
以上のように、本発明によれば、縦バッフルプレートの近傍に燃料系部品が配置された車両の燃料タンクにおいて、車両衝突時に縦バッフルプレートの変形を抑制して燃料系部品の破損を抑制することが可能となるから、燃料タンクを搭載した車両の製造産業分野において好適に利用される可能性がある。
【符号の説明】
【００８１】
１  燃料タンク
２  燃料タンクの内部空間
３１  燃料遮断バルブ
３２  圧力調整バルブ
４０  縦バッフルプレート
５０，６０  横バッフルプレート
５１，６１  横バッフルプレートの仕切面部
５２，５３，６２  横バッフルプレートの連結面部
５５  変形抑制用フランジ部
５６  平行フランジ部
５６ａ  平行フランジ部のビード部
５７  傾斜フランジ部
【図１】
2018069761.tif 000003
【図２】
2018069761.tif 000004
【図３】
2018069761.tif 000005
【図４】
2018069761.tif 000006
【図５】
2018069761.tif 000007
【図６】
2018069761.tif 000008
【図７】
2018069761.tif 000009
【図８】
2018069761.tif 000010
【図９】
2018069761.tif 000011
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
車両に搭載されて燃料を貯留する燃料タンクと、前記燃料タンクの上面部から車体下方側に延びると共に車幅方向に延びて前記燃料タンクの内部空間を車体前後方向に仕切る縦バッフルプレートとを備え、前記縦バッフルプレートによって仕切られた前記燃料タンクの車体前後方向一方側の内部空間における前記縦バッフルプレートの近傍に燃料系部品が配置された車両のタンク構造であって、
前記燃料タンクの車体前後方向一方側の内部空間に前記縦バッフルプレートと離間して配置されると共に前記燃料タンクに連結されて前記縦バッフルプレートの下端部より車体上方側において略水平方向に延び、前記燃料タンクの車体前後方向一方側の内部空間を車体上下方向に仕切る横バッフルプレートを備え、
前記燃料系部品は、前記縦バッフルプレートが車体前後方向一方側に変形すると前記縦バッフルプレートと干渉する位置に配置され、
前記横バッフルプレートは、前記燃料系部品より前記縦バッフルプレート側に位置すると共に車両衝突時に前記縦バッフルプレートに係合して前記縦バッフルプレートの変形を抑制する変形抑制用フランジ部を備えている、
ことを特徴とする車両のタンク構造。
【請求項２】
前記横バッフルプレートは、略水平方向に延びて前記燃料タンクの車体前後方向一方側の内部空間を車体上下方向に仕切る仕切面部と、前記仕切面部と前記燃料タンクとを連結する連結面部とを備えている、
ことを特徴とする請求項１に記載の車両のタンク構造。
【請求項３】
前記変形抑制用フランジ部は、前記縦バッフルプレートに平行に設けられた平行フランジ部を備えている、
ことを特徴とする請求項１又は請求項２に記載の車両のタンク構造。
【請求項４】
前記変形抑制用フランジ部は、前記縦バッフルプレートに対して傾斜して設けられると共に前記平行フランジ部より前記縦バッフルプレート側に設けられた傾斜フランジ部を備えている、
ことを特徴とする請求項３に記載の車両のタンク構造。
【請求項５】
前記燃料系部品は、バルブである、
ことを特徴とする請求項１から請求項４の何れか１項に記載の車両のタンク構造。
【請求項６】
前記変形抑制用フランジ部に、ビード部が設けられている、
ことを特徴とする請求項１から請求項５の何れか１項に記載の車両のタンク構造。
【請求項７】
前記車体前後方向一方側は、車体後方側であり、
前記横バッフルプレートは、前記縦バッフルプレートによって仕切られた前記燃料タンクの車体後方側の内部空間に配置されている、
ことを特徴とする請求項１から請求項６の何れか１項に記載の車両のタンク構造。
【手続補正２】
【補正対象書類名】明細書
【補正対象項目名】００１２
【補正方法】変更
【補正の内容】
【００１２】
まず、本願の請求項１に記載の発明は、車両に搭載されて燃料を貯留する燃料タンクと、前記燃料タンクの上面部から車体下方側に延びると共に車幅方向に延びて前記燃料タンクの内部空間を車体前後方向に仕切る縦バッフルプレートとを備え、前記縦バッフルプレートによって仕切られた前記燃料タンクの車体前後方向一方側の内部空間における前記縦バッフルプレートの近傍に燃料系部品が配置された車両のタンク構造であって、前記燃料タンクの車体前後方向一方側の内部空間に前記縦バッフルプレートと離間して配置されると共に前記燃料タンクに連結されて前記縦バッフルプレートの下端部より車体上方側において略水平方向に延び、前記燃料タンクの車体前後方向一方側の内部空間を車体上下方向に仕切る横バッフルプレートを備え、前記燃料系部品は、前記縦バッフルプレートが車体前後方向一方側に変形すると前記縦バッフルプレートと干渉する位置に配置され、前記横バッフルプレートは、前記燃料系部品より前記縦バッフルプレート側に位置すると共に車両衝突時に前記縦バッフルプレートに係合して前記縦バッフルプレートの変形を抑制する変形抑制用フランジ部を備えていることを特徴とする。
【手続補正３】
【補正対象書類名】明細書
【補正対象項目名】００１９
【補正方法】変更
【補正の内容】
【００１９】
本願の請求項１に記載の発明によれば、縦バッフルプレートによって仕切られた燃料タンクの車体前後方向一方側の内部空間における縦バッフルプレートの近傍に燃料系部品が配置された車両のタンク構造は、燃料タンクの車体前後方向一方側の内部空間を車体上下方向に仕切る横バッフルプレートを備え、燃料系部品は、縦バッフルプレートが車体前後方向一方側に変形すると干渉する位置に配置され、横バッフルプレートは、燃料系部品より縦バッフルプレート側に位置すると共に車両衝突時に縦バッフルプレートに係合して縦バッフルプレートの変形を抑制する変形抑制用フランジ部を備えている。